【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
ＲＳＳリーダを有するクライアントに対して配信される情報を生成するサーバシステムであって、
コンテンツサーバから取得したコンテンツデータを、テンプレートデータに従って配置処理するレイアウト手段と、
前記レイアウト手段による配置処理においてエラーが生じた場合、当該エラーに係るデータへのリンク情報を含むシンジケーションデータを生成する生成手段と、
前記生成手段により生成されたシンジケーションデータを前記クライアントに提供するとともに、前記シンジケーションデータに含まれるリンク情報により示されるデータの取得要求があった場合、当該データを前記要求元に対して提供する情報提供手段と
を備えることを特徴とするサーバシステム。
【請求項２】
前記生成手段は、前記シンジケーションデータとして、ＲＳＳまたはａｔｏｍ形式のデータを生成し、
前記情報提供手段は、前記シンジケーションデータをＲＳＳまたはａｔｏｍ形式で提供し、前記エラーに係るデータをＨＴＭＬ形式で提供することを特徴とする請求項１に記載のサーバシステム。
【請求項３】
前記シンジケーションデータは、前記配置処理において生じたエラーの要約を表す要約情報を含むエラー配信データであることを特徴とする請求項１に記載のサーバシステム。
【請求項４】
前記生成手段は、前記レイアウト手段による配置処理において、テンプレートに含まれる枠内にテキストデータが納まらないテキストオーバーフローと、テンプレートに含まれる枠内にイメージデータが納まらないイメージオーバーフローと、枠内に収めるべきコンテンツデータがないコンテナエラーのいずれかが生じた場合に、前記シンジケーションデータを生成することを特徴とする請求項３に記載のサーバシステム。
【請求項５】
前記シンジケーションデータは、前記配置処理において生じたエラーに係るデータへのリンク情報として、当該エラーに係るテンプレートデータおよびコンテンツデータそれぞれへのリンク情報を含むことを特徴とする請求項１乃至４のいずれか１項に記載のサーバシステム。
【請求項６】
請求項５に記載のサーバシステムと、
前記情報提供手段により提供されるシンジケーションデータ及び前記エラーに係るデータを表示する表示手段と、前記エラーに係るデータとして前記テンプレートデータが表示された場合、当該テンプレートデータを編集するための編集手段とを備えたクライアント装置と
を具備することを特徴とする自動レイアウトシステム。
【請求項７】
ＲＳＳリーダを有するクライアントに対して配信される情報を生成するネットワークサービスシステムであって、
クライアントからの要求に応じて処理を実行するサービス提供手段と、
前記サービス提供手段による処理の状態を示す状態情報と、該状態情報に関連づけられた情報へのリンク情報とを含むシンジケーションデータを生成する生成手段と、
蓄積したデータを前記クライアントに提供する情報提供手段と
を具備し、
前記情報提供手段は、前記生成手段により生成されたシンジケーションデータを蓄積して前記クライアントに提供するとともに、前記シンジケーションデータに含まれるリンク情報により示されるデータの取得要求があった場合、当該データを前記要求元に対して提供し、
前記クライアントは、前記シンジケーションデータに含まれる前記リンク情報により示されるデータの取得がユーザに指示された場合、当該データの取得要求を前記情報提供手段に対して発行し、前記取得要求に応じて前記情報提供手段から得たデータを、ユーザの操作に応じて編集する手段を有することを特徴とするネットワークサービスシステム。
【請求項８】
ＲＳＳリーダを有するクライアントに対して配信される情報を生成して提供する情報提供方法であって、
レイアウトサーバが、コンテンツサーバから取得したコンテンツデータを、テンプレートデータに従って配置処理するレイアウト工程と、
レイアウトサーバが、前記レイアウト工程による配置処理においてエラーが生じた場合、当該エラーに係るデータへのリンク情報を含むシンジケーションデータを生成する生成工程と、
ウエブサーバが、前記生成工程により生成されたシンジケーションデータを前記クライアントに提供するとともに、前記シンジケーションデータに含まれるリンク情報により示されるデータの取得要求があった場合、当該データを前記要求元に対して提供する情報提供工程と
を備えることを特徴とする情報提供方法。
【請求項９】
前記生成工程では、前記シンジケーションデータとして、ＲＳＳまたはａｔｏｍ形式のデータを生成し、
前記情報提供工程では、前記シンジケーションデータをＲＳＳまたはａｔｏｍ形式で提供し、前記エラーに係るデータをＨＴＭＬ形式で提供することを特徴とする請求項８に記載の情報提供方法。
【請求項１０】
前記シンジケーションデータは、前記配置処理において生じたエラーの要約を表す要約情報を含むエラー配信データであることを特徴とする請求項８に記載の情報提供方法。
【請求項１１】
前記生成工程は、前記レイアウト工程による配置処理において、テンプレートに含まれる枠内にテキストデータが納まらないテキストオーバーフローと、テンプレートに含まれる枠内にイメージデータが納まらないイメージオーバーフローと、枠内に収めるべきコンテンツデータがないコンテナエラーのいずれかが生じた場合に、前記シンジケーションデータを生成することを特徴とする請求項１０に記載の情報提供方法。
【請求項１２】
前記シンジケーションデータは、前記配置処理において生じたエラーに係るデータへのリンク情報として、当該エラーに係るテンプレートデータおよびコンテンツデータそれぞれへのリンク情報を含むことを特徴とする請求項８乃至１１のいずれか１項に記載の情報提供方法。
【請求項１３】
ＲＳＳリーダを有するクライアントに対して配信される情報を生成して提供する情報提供方法であって、
アプリケーションサーバが、クライアントからの要求に応じて処理を実行するサービス提供工程と、
ウエブサーバが、前記サービス提供工程による処理の状態を示す状態情報と、該状態情報に関連づけられた情報へのリンク情報とを含むシンジケーションデータを生成する生成工程と、
蓄積したデータを前記クライアントに提供する情報提供工程と、
前記クライアントが、前記シンジケーションデータに含まれる前記リンク情報により示されるデータの取得がユーザに指示された場合、当該データの取得要求を前記情報提供工程に対して発行し、前記取得要求に応じて前記情報提供工程から得たデータを、ユーザの操作に応じて編集する工程とを有し、
前記情報提供工程では、前記生成工程により生成されたシンジケーションデータを蓄積して前記クライアントに提供するとともに、前記シンジケーションデータに含まれるリンク情報により示されるデータの取得要求があった場合、当該データを前記要求元に対して提供することを特徴とする情報提供方法。
【請求項１４】
ＲＳＳリーダを有するクライアントに対して配信される情報をコンピュータにより生成するための情報提供プログラムであって、
コンテンツサーバから取得したコンテンツデータを、テンプレートデータに従って配置処理するレイアウト手段と、
前記レイアウト手段による配置処理においてエラーが生じた場合、当該エラーに係るデータへのリンク情報を含むシンジケーションデータを生成して、生成したシンジケーションデータをウエブサーバにアップロードする生成手段と
してコンピュータを機能させるためのプログラム。